(57)【要約】【課題】携帯無線通信機能の他、テレビジョン受信機能、測位機能、近距離無線通信機能等の複数の多数の機能を有する携帯端末で、アンテナの数を増加させずに良好な通信を維持できるようにする。【解決手段】複数のアンテナ１１ａ〜１１ｄ及び複数の無線部１３ａ〜１３ｄは、携帯無線通信機能、テレビジョン受信機能、測位機能、近距離無線通信機能等の通信方式毎に設けられる。電界強度検出部１５は複数のアンテナのそれぞれの受信強度を検出し、最適アンテナ決定部２１は検出された各アンテナの受信強度に応じて最適なアンテナを決定する。アンテナ切替部１２は、決定されたアンテナに基づいて、アンテナ１１ａ〜１１ｄと無線部１３ａ〜１３ｄとの間の接続の切り替えを行う。通信方式に対応するアンテナでの通信状態が悪い場合にも、共振周波数が近接する他の通信方式のアンテナを使って、良好な通信が維持できる。【選択図】図１
2012070027.tif 000002
【特許請求の範囲】
【請求項１】
複数の異なる通信方式による通信を行う携帯端末であって、
各通信方式に用いる信号の周波数に対応する長さを有する複数のアンテナと、
前記通信方式毎に設けられた複数の無線手段と、
前記複数のアンテナのそれぞれの受信強度を検出する電界強度検出手段と、
前記電界強度検出手段により検出された各アンテナの受信強度に応じて最適なアンテナを決定する最適アンテナ決定手段と、
前記最適アンテナ決定手段で決定されたアンテナに基づいて、前記複数のアンテナと前記複数の無線手段との間の接続の切り替えを行うアンテナ切替手段と
を備えることを特徴とする携帯端末。
【請求項２】
自装置の状態を、特定の通信方式による通信を優先する優先モードに設定する優先モード設定手段を有し、
前記優先モードに設定されると、前記最適アンテナ決定手段は、前記特定された通信方式に用いる信号の受信強度が最大となるアンテナを最適アンテナとして決定すると共に、前記特定された通信方式と競合する通信方式による通信の動作を停止させることを特徴とする請求項１に記載の携帯端末。
【請求項３】
複数の異なる通信方式による通信を行い、各通信方式に用いる信号の周波数に対応する長さを有する複数のアンテナと、前記通信方式毎に設けられた複数の無線手段とを有する携帯端末のアンテナ制御方法であって、
前記複数のアンテナのそれぞれの受信強度を検出する工程と、
前記検出された各アンテナの受信強度に応じて最適なアンテナを決定する工程と、
前記決定されたアンテナに基づいて、前記複数のアンテナと前記複数の無線手段との間の接続の切り替えを行う工程と
を備えることを特徴とするアンテナ制御方法。
【請求項４】
複数の異なる通信方式による通信を行い、各通信方式に用いる信号の周波数に対応する長さを有する複数のアンテナと、前記通信方式毎に設けられた複数の無線手段とを有する携帯端末のコンピュータに実行させるプログラムであって、
前記複数のアンテナのそれぞれの受信強度を検出するステップと、
前記検出された各アンテナの受信強度に応じて最適なアンテナを決定するステップと、
前記決定されたアンテナに基づいて、前記複数のアンテナと前記複数の無線手段との間の接続の切り替えを行うステップと
を含むことを特徴とするプログラム。
【発明の詳細な説明】
【技術分野】
【０００１】
本発明は、携帯無線通信機能の他、テレビジョン受信機能、測位機能、近距離無線通信機能等の複数の機能を有する携帯端末、並びに、携帯端末のアンテナ制御方法及び携帯端末のアンテナ制御プログラムに関する。
【背景技術】
【０００２】
近年、デザイン性の向上や小型、軽量化の要求から、携帯端末のアンテナとして、内蔵アンテナが用いられることが多くなってきている。しかしながら、内蔵アンテナを用いる場合、通話時に使用者が携帯端末の内蔵アンテナの位置の筐体部分に触れてしまうことで、アンテナ効率が劣化し、最適な通信が行えなくなることがある。
【０００３】
また、特許文献１及び特許文献２には、携帯端末に複数のアンテナを設け、これら複数のアンテナの中で良好なアンテナを選択するようにしたダイバーシチに関する技術が記載されている。
【先行技術文献】
【特許文献】
【０００４】
【特許文献１】特開２００２−２６１６６５号公報
【特許文献２】特開２００９−１２４２５５号公報
【発明の概要】
【発明が解決しようとする課題】
【０００５】
上述のように、内蔵アンテナの場合には、使用者が携帯端末の内蔵アンテナの位置の筐体部分に触れてしまうことでアンテナ効率が劣化し、最適な通信が行えなくなるという問題が生じる惧れがある。これに対して、特許文献１では、携帯端末の筐体内に２つの送受内蔵アンテナを設け、この２つの送受内蔵アンテナでアンテナダイバーシチを構成している。このため、使用者が携帯端末の１つの内蔵アンテナの筐体部分を触れてしまっても、他の内蔵アンテナを使って良好な通信を維持できる。しかしながら、特許文献１の構成では、携帯無線通信用にダイバーシチのためのアンテナが必要になるため、アンテナの数が増加するという問題がある。
【０００６】
また、近年の携帯端末は、携帯無線通信機能ばかりでなく、ワンセグテレビジョン放送のテレビジョン受信機能、ＧＰＳ（Ｇｌｏｂａｌ  Ｐｏｓｉｔｉｏｎｉｎｇ  Ｓｙｓｔｅｍ）による測位機能、Ｂｌｕｅｔｏｏｔｈ（登録商標）による近距離無線通信機能等、多数の機能が備えられている。このような多数の機能を実現するために、携帯端末には、携帯無線通信用のアンテナの他に、ワンセグテレビジョン放送受信用のアンテナや、ＧＰＳ測位用のアンテナ、Ｂｌｕｅｔｏｏｔｈ（登録商標）による近距離無線通信用のアンテナ等、多数のアンテナを設ける必要が生じている。
【０００７】
特許文献２には、多数の機能を有する携帯端末でアンテナをダイバーシチ構成にしてもアンテナの数が増加することがないように、機能毎の複数のメインアンテナに対して共通のサブアンテナを設けてダイバーシチを構成するようにしたものが記載されている。このようにすると、各機能のアンテナ毎にダイバーシチ用のアンテナを設ける構成に比べて、アンテナの本数が削減することができる。しかしながら、このような構成としても、各機能毎の複数のメインアンテナに対して共通にダイバーシチを構成するサブアンテナを設ける必要があり、その分、アンテナの本数が増加する。
【０００８】
上述の課題を鑑み、本発明の目的は、多数の通信方式を用いる携帯端末で、アンテナの数を増加させることなく、良好な通信を維持できるようにした携帯端末、携帯端末のアンテナ制御方法、携帯端末のアンテナ制御プログラムを提供することを目的とする。
【課題を解決するための手段】
【０００９】
本発明は上記の課題を解決するためになされたものであり、複数の異なる通信方式による通信を行う携帯端末であって、各通信方式に用いる信号の周波数に対応する長さを有する複数のアンテナと、前記通信方式毎に設けられた複数の無線手段と、前記複数のアンテナのそれぞれの受信強度を検出する電界強度検出手段と、前記電界強度検出手段により検出された各アンテナの受信強度に応じて最適なアンテナを決定する最適アンテナ決定手段と、前記最適アンテナ決定手段で決定されたアンテナに基づいて、前記複数のアンテナと前記複数の無線手段との間の接続の切り替えを行うアンテナ切替手段とを備えることを特徴とする。
【００１０】
また、本発明は、複数の異なる通信方式による通信を行い、各通信方式に用いる信号の周波数に対応する長さを有する複数のアンテナと、前記通信方式毎に設けられた複数の無線手段とを有する携帯端末のアンテナ制御方法であって、前記複数のアンテナのそれぞれの受信強度を検出する工程と、前記検出された各アンテナの受信強度に応じて最適なアンテナを決定する工程と、前記決定されたアンテナに基づいて、前記複数のアンテナと前記複数の無線手段との間の接続の切り替えを行う工程とを備えることを特徴とする。
【００１１】
また、本発明は、複数の異なる通信方式による通信を行い、各通信方式に用いる信号の周波数に対応する長さを有する複数のアンテナと、前記通信方式毎に設けられた複数の無線手段とを有する携帯端末のコンピュータに実行させるプログラムであって、前記複数のアンテナのそれぞれの受信強度を検出するステップと、前記検出された各アンテナの受信強度に応じて最適なアンテナを決定するステップと、前記決定されたアンテナに基づいて、前記複数のアンテナと前記複数の無線手段との間の接続の切り替えを行うステップとを含むことを特徴とする。
【発明の効果】
【００１２】
本発明によれば、各通信方式に対応するアンテナで良好な通信が行えない場合には、電界強度が最大となる他の通信方式に用いるアンテナに切り替えられる。これにより、所定の通信方式に対応するアンテナでの通信状態が悪い場合にも、共振周波数が近接する他の通信方式のアンテナを使って、良好な通信を維持することができる。また、本発明では、各通信方式に対応する複数のアンテナを切り替えて用いるため、他のアンテナを追加する必要がない。
【図面の簡単な説明】
【００１３】
【図１】本発明の第１の実施形態に係る携帯端末の構成を示すブロック図である。
【図２】本発明の第１の実施形態に係る携帯端末のアンテナの説明図である。
【図３】本発明の第１の実施形態に係る携帯端末におけるアンテナ切り替え処理を示すフローチャートである。
【発明を実施するための形態】
【００１４】
以下、本発明の実施の形態について図面を参照しながら説明する。図１は、本発明の第１の実施形態に係る携帯端末１の構成を示すブロック図である。
【００１５】
図１に示すように、本発明の第１の実施形態に係る携帯端末１は、複数のアンテナ１１ａ〜１１ｄと、アンテナ切替部１２と、複数の無線部１３ａ〜１３ｄと、制御部１４と、電界強度検出部１５とを備えている。
【００１６】
アンテナ１１ａ〜１１ｄは、通信方式毎に設けられ、それぞれが各通信方式に用いる信号の周波数に対応する長さを有する。すなわち、本発明の第１の実施形態に係る携帯端末１は、携帯無線通信機能に用いるアンテナ１１ａと、テレビジョン受信機能に用いるアンテナ１１ｂと、測位機能に用いるアンテナ１１ｃと、近距離無線通信機能に用いるアンテナ１１ｄとを備える。携帯無線通信機能は、例えば８００ＭＨｚ帯（８３０〜８８５ＭＨｚ）を使って、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式により、音声通信やデータ通信を行うものである。テレビジョン受信機能は、ＵＨＦ（Ｕｌｔｒａ  Ｈｉｇｈ  Ｆｒｅｑｕｅｎｃｙ）テレビジョン放送帯（４７３ＭＨｚ〜７６７ＭＨｚ）を使って、デジタル地上波放送の１セグメントにより放送されている携帯端末向けのテレビジョン放送（ワンセグテレビジョン放送）の受信を行うものである。測位機能は、地球上を周回する複数のＧＰＳ衛星からの１．５７５ＧＨｚの信号を受信して、現在地を測位するものである。近距離無線通信機能は、例えばＩＳＭ（Ｉｎｄｕｓｔｒｙ  Ｓｃｉｅｎｃｅ  Ｍｅｄｉｃａｌ）帯の２．４ＧＨｚ帯を使って、Ｂｌｕｅｔｏｏｔｈ（登録商標）により、外部機器と無線でデータ通信を行うものである。
【００１７】
図２は、本発明の第１の実施形態に係る携帯端末のアンテナの説明図である。
ＷＣＤＭＡ方式の携帯無線通信用のアンテナ１１ａとしては、例えば、図２（Ａ）に示すように、携帯端末１の筐体２ａと筐体２ｂとのヒンジ部３付近に内蔵された８００ＭＨｚ帯を受信するための内蔵アンテナ（例えば板状逆Ｆアンテナやマイクロストリップアンテナ）が用いられる。
【００１８】
ワンセグテレビジョン放送受信用のアンテナ１１ｂとしては、例えば、図２（Ｂ）に示すように、携帯端末１の携帯端末１の筐体２ａと筐体２ｂとの筐体全体により形成されるＵＨＦテレビジョン放送帯（４７３ＭＨｚ〜７６７ＭＨｚ）を受信するための筐体ダイポールアンテナが用いられる。なお、ワンセグテレビジョン放送受信用のアンテナ１１ｂとしては、携帯端末１の外部に設けられたホイップアンテナで実現しても良い。
【００１９】
ＧＰＳ測位用のアンテナ１１ｃとしては、例えば１．５ＧＨｚ帯（右回転偏波）を受信するための内蔵アンテナが用いられる。
【００２０】
Ｂｌｕｅｔｏｏｔｈ（登録商標）による近距離無線通信用のアンテナ１１ｄとしては、例えば２．４ＧＨｚ帯を受信するための内蔵アンテナが用いられる。
【００２１】
アンテナ切替部１２は、制御部１４の最適アンテナ決定部２１の制御の下に、各アンテナ１１ａ〜１１ｄと、各無線部１３ａ〜１３ｄとの間の接続の切り替えを行っている。
【００２２】
無線部１３ａ〜１３ｄは、通信方式毎に設けられている。無線部１３ａは、ＷＣＤＭＡ方式の携帯無線通信用の無線部である。無線部１３ｂは、ワンセグテレビジョン放送受信用の無線部である。無線部１３ｃは、ＧＰＳによる測位用の無線部である。無線部１３ｄは、Ｂｌｕｅｔｏｏｔｈ（登録商標）による近距離無線通信用の無線部である。
【００２３】
制御部１４は、例えばマイクロプロセッサにより実現できる。制御部１４に対して、表示部１６と操作部１７とが設けられる。また、本発明の第１の実施形態においては、制御部１４は、最適アンテナ決定部２１と、優先モード設定部２２とが含まれている。優先モード設定部２２には、操作部１７からの操作によりモードが設定される。
【００２４】
電界強度検出部１５は、各アンテナ１１ａ〜１１ｄの受信電界強度を検出している。電界強度検出部１５で検出された各アンテナ１１ａ〜１１ｄの電界強度は、制御部１４の最適アンテナ決定部２１に送られる。
【００２５】
このように、本発明の第１の実施形態に係る携帯端末１には、各通信方式に対応した複数のアンテナ１１ａ〜１１ｄ及び無線部１３ａ〜１３ｄが設けられている。また、アンテナ１１ａ〜１１ｄと無線部１３ａ〜１３ｄとの間には、アンテナ切替部１２が設けられている。アンテナ切替部１２は、電界強度検出部１５により検出された各アンテナ１１ａ〜１１ｄの受信強度と、優先モード設定部２２に設定されたモードとに応じて切り替えられる。
【００２６】
優先モード設定部２２に設定されるモードとしては、一例として、通常モードと、携帯通信優先モードと、テレビジョン受信優先モードとがある。
【００２７】
通常モードの場合には、各アンテナ１１ａ〜１１ｄと各無線部１３ａ〜１３ｄとが通信方式に対応させて接続されるように、アンテナ切替部１２が設定される。すなわち、通常モードの場合には、最適アンテナ決定部２１は、受信強度とは無関係に、ＷＣＤＭＡ方式の携帯無線通信用のアンテナ１１ａとＷＣＤＭＡ方式の携帯無線通信用の無線部１３ａとを接続させ、ワンセグテレビジョン放送受信用のアンテナ１１ｂとワンセグテレビジョン放送受信用の無線部１３ｂとを接続させ、ＧＰＳ衛星測位用のアンテナ１１ｃとＧＰＳ測位用の無線部１３ｃとを接続させ、近距離無線通信用のアンテナ１１ｄと近距離無線通信用の無線部１３ｄとを接続させる。
【００２８】
携帯通信優先モードの場合には、最適アンテナ決定部２１は、ＷＣＤＭＡ方式の携帯無線通信用の無線部１３ａに対して、アンテナ１１ａ〜１１ｄの中で電界強度が最大となるアンテナが接続されるように、アンテナ切り替えを行う。また、このとき、最適アンテナ決定部２１は、携帯無線通信機能と競合する通信がある場合には、携帯無線通信機能が優先するように、競合する通信の動作を停止させる。
【００２９】
例えば、図２（Ａ）に示したように、ＷＣＤＭＡ方式の携帯無線通信用のアンテナ１１ａが携帯端末１のヒンジ部３の付近に内蔵されている場合、使用者が通話時に携帯端末１のヒンジ部３の付近を握っていると、ＷＣＤＭＡ方式の携帯無線通信用のアンテナ１１ａのアンテナ効率は劣化してしまい、最適な通信が行えなくなる。携帯通信優先モードに設定しておくと、このような場合に、電界強度検出部１５での各アンテナ１１ａ〜１１ｄの受信電界強度に応じて、各アンテナ１１ａ〜１１ｄの中から最適なアンテナが判定される。そして、ＷＣＤＭＡ方式の携帯無線通信用の無線部１３ａに対するアンテナが、この判定された最適なアンテナに切り替えられる。ワンセグテレビジョン放送受信用のアンテナ１１ｂは、図２（Ｂ）に示したように、ＵＨＦテレビジョン放送帯（４７３ＭＨｚ〜７６７ＭＨｚ）を受信するための筐体ダイポールアンテナである。このアンテナ１１ｂの共振周波数は、ＷＣＤＭＡ方式に用いられている８００ＭＨｚと周波数が近接している。このため、アンテナ１１ａで良好な通信が行えないような場合でも、アンテナ１１ｂにより、ＷＣＤＭＡ方式の信号を良好に送受信できる場合がある。
【００３０】
携帯通信優先モードに設定されると、最適アンテナ決定部２１は、電界強度検出部１５により検出された各アンテナ１１ａ〜１１ｄの電界強度に基づいて、アンテナ１１ａ〜１１ｄの中から電界強度が最大となるアンテナを最適なアンテナとして決定する。例えば、アンテナ１１ａ〜１１ｄの中で、ワンセグテレビジョン放送受信用のアンテナ１１ｂの電界強度が最大の場合には、最適アンテナ決定部２１は、ワンセグテレビジョン放送受信用のアンテナ１１ｂを最適なアンテナとして決定する。そして、最適アンテナ決定部２１は、ＷＣＤＭＡ方式の携帯無線通信用の無線部１３ａに対して、ワンセグテレビジョン放送受信用のアンテナ１１ｂが接続されるように、アンテナ切替部１２を設定する。これにより、使用者が携帯端末１のヒンジ部３の付近を握っていて、ＷＣＤＭＡ方式の携帯無線通信用のアンテナ１１ａのアンテナ効率が劣化しているような場合でも、ワンセグテレビジョン放送受信用のアンテナ１１ｂを用いて、良好な通信を行うことができる。また、このとき、ＷＣＤＭＡ方式の携帯無線通信と、ワンセグテレビジョン放送のテレビジョン受信とで通信が競合することとなる。このため、携帯通信優先モードの場合には、最適アンテナ決定部２１は、ＷＣＤＭＡ方式の携帯無線通信機能と競合するワンセグテレビジョン放送のテレビジョン受信の受信機能を停止させる。
【００３１】
テレビジョン受信優先モードの場合、最適アンテナ決定部２１は、ワンセグテレビジョン放送受信用の無線部１３ｂに対して、アンテナ１１ａ〜１１ｄの中で電界強度が最大となるアンテナが接続されるように、アンテナ切り替えを行う。このとき、競合する通信がある場合には、競合する通信の動作が停止される。
【００３２】
例えば、図２（Ｂ）に示したように、ワンセグテレビジョン放送受信用のアンテナ１１ｂが筐体ダイポールの場合には、筐体２ａ、２ｂを閉じているときには、筐体２ａ、２ｂを開いているときに比べて、アンテナ効率は著しく劣化する。このため、テレビジョン番組を予約録画しているような場合に、録画時間に筐体２ａ、２ｂが閉じていると、テレビジョン放送の録画が良好に行えない。テレビジョン受信優先モードに設定しておくと、このような場合に、各アンテナ１１ａ〜１１ｄの中から最適なアンテナが判定され、ワンセグテレビジョン放送受信用の無線部１３ｂに対するアンテナが、この判定された最適なアンテナに切り替えられる。図２（Ａ）に示したＷＣＤＭＡ方式に用いられている８００ＭＨｚ帯のアンテナ１１ａの共振周波数は、ワンセグテレビジョン放送の周波数帯（４７３ＭＨｚ〜７６７ＭＨｚ）と近接する。このため、筐体２ａ、２ｂが閉じているような場合には、アンテナ１１ａで、ワンセグテレビジョン放送の受信を良好に行える場合がある。
【００３３】
テレビジョン受信優先モードに設定しておくと、最適アンテナ決定部２１は、電界強度検出部１５からの各アンテナ１１ａ〜１１ｄの電界強度に基づいて、アンテナ１１ａ〜１１ｄの中から電界強度が最大となるアンテナを最適なアンテナとして決定する。例えば、アンテナ１１ａ〜１１ｄの中で、ＷＣＤＭＡ方式の携帯無線通信用のアンテナ１１ａの電界強度が最大の場合には、最適アンテナ決定部２１は、ＷＣＤＭＡ方式の携帯無線通信用のアンテナ１１ａを最適なアンテナとして決定する。そして、最適アンテナ決定部２１は、ワンセグテレビジョン放送受信用の無線部１３ｂに対して、ＷＣＤＭＡ方式の携帯無線通信用のアンテナ１１ａが接続されるように、アンテナ切替部１２を設定する。これにより、録画予約時間に筐体２ａ、２ｂが閉じていて、ワンセグテレビジョン放送受信用のアンテナ１１ｂでワンセグテレビジョン放送が良好に受信できない場合でも、ＷＣＤＭＡ方式の携帯無線通信用のアンテナ１１ａを使用することで、ワンセグテレビジョン放送の受信を良好に行える。また、この場合には、ワンセグテレビジョン放送の受信と、ＷＣＤＭＡ方式の携帯無線通信とで、通信が競合している。このため、テレビジョン受信優先モードの場合には、ワンセグテレビジョン放送の受信と競合する携帯無線通信の機能が停止される。
【００３４】
図３は、制御部１４の最適アンテナ決定部２１でのアンテナ切り替え処理を示すフローチャートである。
【００３５】
図３において、最適アンテナ決定部２１は、優先モード設定部２２に設定されているモードが通常モードかどうかを判定する（ステップＳ１）。通常モードに設定されている場合には、最適アンテナ決定部２１は、各アンテナ１１ａ〜１１ｄとこれに対応する無線部１３ａ〜１３ｄとが接続されるように、アンテナ切替部１２の設定を行う（ステップＳ２）。
【００３６】
ステップＳ１で、通常モードでない場合には、最適アンテナ決定部２１は、優先モード設定部２２に設定されているモードが携帯通信優先モードかどうかを判定する（ステップＳ３）。ステップＳ３で、携帯通信優先モードに設定されていた場合には、最適アンテナ決定部２１は、各アンテナ１１ａ〜１１ｄとこれに対応する無線部１３ａ〜１３ｄとが接続されるようにアンテナを設定した状態で（ステップＳ４）、携帯無線通信が開始されたかどうかを判定する（ステップＳ５）。
【００３７】
ステップＳ５で、携帯無線通信が開始されたと判定されると、最適アンテナ決定部２１は、通信状態が良好かどうかを判定する（ステップＳ６）。通信状態が良好なら、最適アンテナ決定部２１は、そのまま携帯無線通信を行わせる（ステップＳ７）。
【００３８】
ステップＳ６で、通信状態が良好でない場合には、最適アンテナ決定部２１は、電界強度検出部１５の検出値から、各アンテナ１１ａ〜１１ｄの受信強度を順次検出し、記憶する（ステップＳ８）。そして、最適アンテナ決定部２１は、各アンテナ１１ａ〜１１ｄの中で受信強度が最大となるものを最適なアンテナとして決定する（ステップＳ９）。次に、最適アンテナ決定部２１は、通信の競合があるかどうかを判定し（ステップＳ１０）、通信の競合がなければそのまま、通信の競合があれば、競合する機能を停止した後（ステップＳ１１）、ステップＳ９で決定されたアンテナに切り替える。そして、最適アンテナ決定部２１は、ステップＳ９で決定された最適なアンテナを接続した状態で、携帯無線通信を行わせる（ステップＳ７）。
【００３９】
ステップＳ３で、携帯通信優先モードでない場合には、最適アンテナ決定部２１は、優先モード設定部２２に設定されているモードがテレビジョン受信優先モードかどうかを判定する（ステップＳ１３）。テレビジョン受信優先モードに設定されていた場合には、最適アンテナ決定部２１は、各アンテナ１１ａ〜１１ｄとこれに対応する無線部１３ａ〜１３ｄとが接続されるようにアンテナを設定した状態で（ステップＳ１４）、ワンセグテレビジョン放送の受信が開始されたかどうかを判定する（ステップＳ１５）。
【００４０】
ステップＳ１５で、ワンセグテレビジョン放送の受信が開始されたと判定されたら、最適アンテナ決定部２１は、通信状態が良好かどうかを判定する（ステップＳ１６）。そして、通信状態が良好なら、最適アンテナ決定部２１は、そのままワンセグのテレビジョン放送の受信を行わせる（ステップＳ１７）。
【００４１】
ステップＳ１６で、通信状態が良好でない場合には、最適アンテナ決定部２１は、電界強度検出部１５の検出値から、各アンテナ１１ａ〜１１ｄの受信強度を順次検出し、記憶する（ステップＳ１８）。そして、最適アンテナ決定部２１は、各アンテナ１１ａ〜１１ｄの中で受信強度が最大となるものを最適なアンテナとして決定する（ステップＳ１９）。次に、最適アンテナ決定部２１は、通信の競合があるかどうかを判定し（ステップＳ２０）、通信の競合がなければそのまま、通信の競合があれば、競合する機能を停止した後（ステップＳ２１）、ステップＳ１９で決定されたアンテナに切り替える（ステップＳ２２）。そして、最適アンテナ決定部２１は、ステップＳ１９で決定された最適なアンテナを接続した状態で、ワンセグのテレビジョン放送の受信を行わせる（ステップＳ１７）。
【００４２】
このように、本発明の第１の実施形態では、各通信方式に対応するアンテナで良好な通信が行えない場合には、電界強度が最大となる他の通信方式のアンテナに切り替えられる。このため、所定の通信方式に対応するアンテナでの通信状態が悪い場合にも、共振周波数が近接する他の通信方式のアンテナを使って、良好な通信が維持できる。
【００４３】
なお、上述の例では、ＷＣＤＭＡ方式の携帯無線通信用の無線部１３ａに対してワンセグテレビジョン放送受信用のアンテナ１１ｂを使用する場合と、ワンセグテレビジョン放送受信用の無線部１３ｂに対してＷＣＤＭＡ方式の携帯無線通信用のアンテナ１１ａを使用する場合について説明したが、これ以外に、ＷＣＤＭＡ方式の携帯無線通信用の無線部１３ａに対して近距離無線通信用のアンテナ１１ｄを使用したり、ＷＣＤＭＡ方式の携帯無線通信用の無線部１３ａに対してＧＰＳ測位用のアンテナ１１ｃを使用したりすること等が考えられる。すなわち、上述の例では、ＷＣＤＭＡ方式の携帯無線通信を８００ＭＨｚ帯で行っている例について説明したが、２ＧＨｚ帯や１．７ＧＨｚ帯を使う場合もある。携帯無線通信を２ＧＨｚ帯に近い周波数帯を使用する場合には、２．４ＧＨｚ帯の近距離無線通信用のアンテナ１１ｄをＷＣＤＭＡ方式の携帯無線通信に使用することで、より電波状況の良い通信品質を確保できる可能性がある。また、携帯無線通信を１．７ＧＨｚに近い周波数帯を使用する場合には、１．５ＧＨｚ帯のＧＰＳ測位用のアンテナ１１ｃをＷＣＤＭＡ方式の携帯無線通信用に使用することでより電波状況の良い通信品質を確保できる可能性がある。
【００４４】
なお、ＷＣＤＭＡ方式の携帯無線通信用の無線部１３ａに対して近距離無線通信用のアンテナ１１ｄを接続したり、ＷＣＤＭＡ方式の携帯無線通信用の無線部１３ａに対してＧＰＳ測位用のアンテナ１１ｃを接続する場合には、互いに無線通信が競合するケースは少ない。
【００４５】
また、上述の例では、携帯無線通信をＷＣＤＭＡ方式で行っているが、本発明は、ＰＤＣ（Ｐｅｒｓｏｎａｌ  Ｄｉｇｉｔａｌ  Ｃｅｌｌｕｌａｒ）方式やＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）方式、ＣＤＭＡ方式やＣＤＭＡ２０００方式等、他の方式の場合にも、同様に適用できる。また、上述の説明では、携帯端末１は、携帯無線通信機能と、テレビジョン受信機能と、測位機能と、近距離無線通信機能とを有しているが、これらの機能の全てを備えている必要はなく、また、さらに、他の機能を備えていても良い。例えば、携帯端末１として、ＩＥＥＥ．８０２．１１ｂ／ｇ方式のＷＬＡＮ（Ｗｉｒｅｌｅｓｓ  Ｌｏｃａｌ  Ａｒｅａ  Ｎｅｔｗｏｒｋ）の通信機能を有していても良い。また、本発明は、携帯電話を行うための通常の携帯端末ばかりでなく、スマートフォンと称される多機能型の携帯端末やＰＤＡ（Ｐｅｒｓｏｎａｌ  Ｄｉｇｉｔａｌ  Ａｓｓｉｓｔａｎｔ）等にも適用できる。
【００４６】
本発明は、上述した実施形態に限定されるものではなく、この発明の要旨を逸脱しない範囲内で様々な変形や応用が可能である。
【符号の説明】
【００４７】
１：携帯端末
１１ａ〜１１ｄ：アンテナ
１２：アンテナ切替部
１３ａ〜１３ｄ：無線部
１４：制御部
１５：電界強度検出部
１６：表示部
１７：操作部
２１：最適アンテナ決定部
２２：優先モード設定部
【図１】
2012070027.tif 000003
【図２】
2012070027.tif 000004
【図３】
2012070027.tif 000005